(57)【要約】  第１の端部（１４）及び第２の端部（１６）を有するトトル（１８）を備えた剃毛かみそりシステム（１０）。トトルの第２の端部に取り付けられた端部キャップ（２２）。トトルの第１の端部に取り付けられたカプラ（２０）。少なくとも１つの把持部材（７６）は、カプラと端部キャップとの間のトトル上にある。少なくとも１つの把持部材は、５０μｍを超える厚さを有する。
2020516414.tif 000002
【特許請求の範囲】
【請求項１】
剃毛かみそりシステム（１０）であって、
第１の端部（１４）及び第２の端部（１６）を有するトトル（１８）と、
前記トトルの前記第２の端部に取り付けられた端部キャップ（２２）と、
前記トトルの前記第１の端部に取り付けられたカプラ（２０）と、
前記カプラと前記端部キャップとの間の前記トトル上の少なくとも１つの把持部材（７６）であって、５０μｍを超える厚さを有する、少なくとも１つの把持部材（７６）と、
を備える、剃毛かみそりシステム（１０）。
【請求項２】
前記カプラ（２０）に取り付けられたかみそりカートリッジ（２４）を更に備える、請求項１に記載の剃毛かみそりシステム（１０）。
【請求項３】
前記把持部材が、少なくとも３００のＲａ値を有するテクスチャ加工面を備える、請求項１に記載の剃毛かみそりシステム（１０）。
【請求項４】
前記把持部材（７６）が、前記端部キャップ（２２）及び前記トトル（１８）とは異なる材料を含む、請求項１に記載の剃毛かみそりシステム（１０）。
【請求項５】
前記少なくとも１つの把持部材（７６）が、２００μｍ〜２．０ｍｍの厚さを有する、請求項１に記載の剃毛かみそりシステム（１０）。
【請求項６】
前記少なくとも１つの把持部材（７６）が、複数の把持部材を備える、
請求項１に記載の剃毛かみそりシステム（１０）。
【請求項７】
前記複数の把持部材が離間されている、請求項６に記載の剃毛かみそりシステム（１０）。
【請求項８】
前記少なくとも１つの把持部材（７６）が、
約０．１０ｍｍ〜約１０ｍｍの幅、及び約０．１０ｍｍ〜約１０ｍｍの長さ
を有するストリップを備える、請求項８に記載の剃毛かみそりシステム（１０）。
【発明の詳細な説明】
【技術分野】
【０００１】
本発明は、湿式剃毛安全かみそりに関し、より具体的には、別の人の顔を剃毛するための人間工学的に形成されたハンドルに取り付けられた剃毛かみそりカートリッジを有する剃毛かみそりシステムに関する。
【背景技術】
【０００２】
概して、安全かみそりのカートリッジ又は刃ユニットは、カートリッジが取り付けられたハンドルによって、剃毛される皮膚の表面にわたって動かされる、刃先を有する少なくとも１つの刃を有する。一部の剃毛かみそりには、ハンドルに対して枢動し、剃毛中に皮膚の輪郭に沿って移動する、ばね付勢されたカートリッジが備わっている。カートリッジは、刃の切れ味が不充分な程度にまで低下した時点で、カートリッジを新しいカートリッジに交換することができるように、ハンドルに着脱可能に装着されてもよく、あるいは、刃の切れ味が鈍くなった時点でかみそり全体を廃棄することを想定して、ハンドルに永久的に取り付けられてもよい。
【０００３】
刃部材の刃先部分が、かみそり刃アセンブリのガード及びキャップと一般に呼ばれる皮膚係合面の間に保持される、かみそり刃アセンブリが開示される。剃毛ストローク中、ガードは刃部材（複数可）の前方で皮膚に接触し、キャップは刃部材（複数可）の後方で皮膚に接触する。キャップ及びガードは、いわゆる「剃毛ジオメトリ」、すなわち、剃毛中の皮膚に対する刃の向き及び位置を決定するパラメータを確立する助けとなり、このパラメータは、かみそりの剃毛性能及び有効性に大きく影響することがある。キャップは、抵抗を低減し快適性を高める、水滲出性の剃毛補助剤を含んでよい。ガードは一般に剛性を有するものであってもよく、例えば、刃の支持を提供するフレーム又はプラットフォーム構造体と一体的に形成される。ガードはまた、より軟質のエラストマー材を含んで、皮膚の引き延ばしを改善させ得る。
【０００４】
個人の介護者は、慢性的な年齢、傷害、又は様々な変性疾患によってしばしば引き起こされる精神的及び／又は身体的能力の低下のために自分自身を剃毛することができない個人の世話をすることが多い。別の人を剃毛する作業は、剃毛される人を切らないようにするために、細心の注意、忍耐、協調、及び空間認識を必要とする。自分を剃毛するのとは異なり、剃毛されている人と剃毛の作業を実行している人との間に触覚的なフィードバックはない。更に、震えのある人を介護者が安全に剃毛することは極めて困難であり得る。米国では、理髪師はライセンスを取得しており、多くの場合、他の人を剃毛するに長年の経験を有する。しかしながら、近親者及び専門の介護者は、一般的に、別の人を剃毛するための剃毛技術にあまり精通していない。更に、理髪師は一般的に真っ直ぐな刃のかみそりを使用するが、これは、個人の介護者又は家族が適切な訓練を受けずに別の人に使用を試みるのには非常に危険である。湿式安全かみそり剃毛システムは、自己適用のために１００年以上にわたって強化されてきた。しかしながら、これらの設計は、上記の欠点を考慮していないため、別の人を剃毛するのには次善のものである。
【発明の概要】
【発明が解決しようとする課題】
【０００５】
したがって、別の人の顔を剃毛するための適切な制御、把持及び操作を可能にするために、人間工学的ハンドルに取り付けられた剃毛かみそりカートリッジが必要とされている。
【課題を解決するための手段】
【０００６】
一態様では、本発明は、概して、第１の端部及び第２の端部を有するトトルを備えた剃毛かみそりシステムを特徴とする。トトルの第２の端部に取り付けられた端部キャップ。トトルの第１の端部に取り付けられたカプラ。少なくとも１つの把持部材は、カプラと端部キャップとの間のトトル上にある。少なくとも１つの把持部材は、５０μｍを超える厚さを有する。
【０００７】
別の態様では、本発明は、概して、液体を収容するためのトトルを提供することによって剃毛かみそりシステムを組み立てる方法を特徴とする。端部キャップは、トトルの第１の端部に取り付けられる。カプラは、トトルの第２の端部に取り付けられる。カプラと端部キャップとの間のトトルに、厚さが５０ｍｍを超える把持部材が適用される。
【０００８】
別の態様では、本発明は、概して、第１の端部及び第２の端部を有するトトルを備えた剃毛かみそりシステムを特徴とする。端部キャップは、トトルの第２の端部に取り付けられる。カプラは、トトルの第１の端部に取り付けられる。トトルを把持する消費者の能力を増加させるための手段は、トトルにある。
【図面の簡単な説明】
【０００９】
本発明の他の特徴及び利点、並びに本発明自体は、添付の図面と併せて読むときに、種々の実施形態の以下の説明から、より完全に理解することができる。
【図１】本発明の１つの可能な実施形態に係る剃毛かみそりシステムの斜視図である。
【図２Ａ】従来の剃毛かみそりシステムを用いて別の人によって剃毛される人の顔の側面図である。
【図２Ｂ】従来の剃毛かみそりシステムを用いて別の人によって剃毛される人の顔の側面図である。
【図３Ａ】把持部材の異なる実施形態を有する図１の剃毛かみそりシステムの側面図である。
【図３Ｂ】把持部材の異なる実施形態を有する図１の剃毛かみそりシステムの側面図である。
【図３Ｃ】把持部材の異なる実施形態を有する図１の剃毛かみそりシステムの側面図である。
【図４】図１の剃毛かみそりシステムを用いて別の人によって剃毛される人の顔の側面図である。
【発明を実施するための形態】
【００１０】
図１を参照すると、剃毛かみそりシステム１０の斜視図が示されている。剃毛かみそりシステム１０は、第１の端部１４及び第２の端部１６を有するハンドル１２を含むことができる。特定の実施形態では、ハンドル１２は、剃毛前又は剃毛後の補助組成物などの液体を含有するトトル１８を含むことができる。トトル１８は、ポリプロピレン又はポリエチレンなどの可撓性材料を含むことができる（例えば、トトル１８が、消費者によって圧搾されて、トトルに収容される流体を放出することを可能にするように）。トトルは、端部にあるキャップに着座するボトルのタイプ（ケチャップ、シャンプー、などに使われることが多い）の業界用語である。例えば、「ボトル」はその「下部」に着座し、キャップを有する反対側の端部（上部）から液体を分配するが、「トトル」はその「上部」に着座し、これは液体を分配し、キャップを有する端部である。ハンドル１２は、ハンドル１２の第１の端部１４に取り付けられたカプラ２０、及びハンドル１２の第２の端部１６にある、流体が開放位置でハンドルから出ることを可能にし、閉鎖位置にあるときに流体がハンドルから出るのを防止する、端部キャップ２２（例えば、取り外し可能なカバー又はフリップトップ）も、含むことができる。剃毛かみそりカートリッジ２４は、カプラ２０に取り付けることができる。剃毛かみそりカートリッジ２４は、キャップ２６、ガード２８、及びキャップ２６とガード２８との間に配置された刃先３２を有する少なくとも１つの刃３０、を含むことができる。キャップ２６及びガード２８は、剃毛面Ｐ１（すなわち、キャップ２６及びガード２８に接する面）を画定することができる。
【００１１】
カプラ２０は、ユーザの指又は親指を受容して適切に位置決めするために、ハンドル１２（例えば、トトル１８）の上面３６上に指パッド３４を含んでもよい。指パッド３４は円形であってもよく、ユーザの指を指パッド３４上により良好に維持するために、ユーザの親指を受容するように大きな半径を有してもよい。例えば、指パッド３４は、約５ｍｍ〜約１５ｍｍの半径を有してもよい。指パッド３４は、凹状上面３８及び前縁４０も有することができる。剃毛かみそりカートリッジ２４は、指パッド３４の前縁４０の前方に配置されてもよい（例えば、剃毛中に別の人の顔の方向に剃毛かみそりカートリッジ２４を向けることを容易にするために）。凹面３８は上方向に弧を描くことができ、約７ｍｍ〜約２５ｍｍの半径を有することができる。特定の実施形態では、指パッド２２は、指パッド３４を貫通してハンドル１２の上面３６（例えば、トトル１８）まで完全に貫通して延びる貫通開口部４２を画定することができ、したがってユーザの指又は親指が指パッド３４内でより深く静止することを可能にする。貫通開口部４２の下部におけるトトル１８の上面３６も、快適性の改善のためにクッションを提供することができる。特定の実施形態では、指パッド３４は、ユーザに自分の指を、反対側の下面ではなく上面３６上の指パッド３４上に配置するように指示するための表示部３５を含むことができる。したがって、カプラ２０がトトル１８に関して非対称であることが有利であり得る。表示部は、指パッド３４をカプラ２０の他の部分と区別するために単語、画像、色又は記号を含むことができる。
【００１２】
別の人の顔を剃毛するとき、剃毛かみそりシステム１０は、剃毛されている人を切ることを防止するために剃毛ストロークの制御の改善を提供することができる。自分を剃毛するとき、かみそりハンドルは、通常、下向きのストローク又は上向きのストロークのいずれかの形で、剃毛される皮膚の表面の平面に対して３０度と平行（すなわち、１８０度）との間の角度に保持される。自分自身を剃毛する人にとって、この配置は一般に快適で直感的であり、鏡をのぞいているときに、剃毛されるエリアに対する良好な視認性も提供する。手は剃毛面から十分な距離を保っており、つまり、剃毛されるエリアの反射されたビューが、剃毛者自身の手によって隠されることはない。このシナリオは、かみそりが１００年以上にわたって設計され、最適化されてきた方法を提供する。しかしながら、剃毛かみそりハンドルと剃毛されている人（対象）との位置関係は、自己剃毛と比較して非常に異なる。
【００１３】
図２Ａ及び図２Ｂを参照すると、別の人によって剃毛される人の顔の側面図が示されている。剃毛かみそりカートリッジ５０は、長手方向軸５６を備えた細長い把持部分５４を有する剃毛かみそりハンドル５２の端部に取り付けることができる。剃毛かみそりカートリッジ５０は、剃毛面５８（すなわち、剃毛かみそりカートリッジ５０のガード５３及びキャップ５５に接する平面）を画定することができる。一般的な自己剃毛モデルは、いくつかの問題を生じるため、別の人を剃毛するときにはもはや有効ではない。別の人を剃毛するとき、剃毛される人（すなわち、対象）は、一般に、剃毛機能を実行する人（すなわち、介護者）が立っている間、座っているか横たわっている配置にある。介護者と対象の相対位置は、比較的低い顔面及び首の位置を作り出し、誇張された手首角度「α」によって示されるように、従来の把持及びストロークを利用して剃毛かみそりカートリッジ５０を配置する（図２Ａに示すように）ことを、はるかに困難で不快にする。手は、ハンドル軸５６（及び剃毛面５８）とほぼ平行であってもよく、したがって手首を手に対して横方向の位置に置く。
【００１４】
図２Ｂに示すように、他のハンドルグリップを使用することができる。例えば、ハンドル５２は、剃毛される皮膚に対してほぼ垂直であり得る、より高いかみそりハンドル角度で対象の顔に接近することができる。手首の角度は、よりニュートラルな位置（例えば、真っ直ぐ又は１８０度）を作り出すことができ、それは介護者にとってより快適な位置をもたらすことができる。しかしながら、この位置は、皮膚に対する刃の角度が不十分となり、結果として剃毛性能（例えば効率及び安全性）が不十分となる。例えば、剃毛面５８は、剃毛される皮膚の表面とあまり良好に一致しない（例えば、剃毛面５８は剃毛される表面から持ち上げられる）。更に、カートリッジ５０が皮膚上に配置されると、カートリッジ５０は時期尚早に完全枢動位置に枢動することができる。したがって、枢動式カートリッジの皮膚適合性及び安全性の利点は大幅に低減される。今日市場で販売されているほとんどの剃毛かみそりは、カートリッジに取り付けるために下方に湾曲する遠位端部を備えたハンドルを有する。
【００１５】
また、現在のかみそりハンドルの設計は、対象の位置が比較的低いため、介護者が視認性及び剃毛されるエリアへのアクセスを改善するために対象に向かって前かがみにならなければならないため、最適ではない。このシナリオでは、顎の下側及び首が顎と交わるエリアなど、剃毛するのが著しく困難である顔及び首の多くのエリアが存在する。身体的又は精神的能力が低下している人を剃毛するときには、対象の頭部を上げたり旋回させたりすることが可能でない場合が多い。理髪師は通常、最適な身体的設定を達成するために、リクライニング、旋回、及び高さを変更することができる椅子に対象を座らせることによって、この問題を解決する。これは、自宅又は介護者の施設で人を剃毛するときには実用的でないことが多い。更に、精神的能力が低下している、介護を受けている多くの男性にとって、剃毛プロセス中にじっと座っていることは必ずしも可能ではない。予測不可能な動きは深刻な安全性リスクをもたらし、対象を剃毛することを著しく困難にする。
【００１６】
図３Ａを参照すると、図１の剃毛かみそりシステム１０の側面図が示されている。特定の実施形態では、第２の端部１６は、図４に示されるように、ユーザの手のひらが快適にもたれるためのエリアを提供するように、平坦な下面６０（例えば、端部キャップ端部２２の）を有することができる。以下により詳細に記載されるように、下面６０は、下面６０がユーザの手のひらに対して快適に着座することを可能にするように、概ね円形の断面を有してもよい。剃毛かみそりシステム１０は、下面６０から剃毛かみそりカートリッジ２４の前端部面６２までの水平距離として測定される、約７０ｍｍ〜約１００ｍｍの第１の距離「Ｄ１」を有することができる。距離「Ｄ１」は、ユーザが剃毛かみそりシステム１０を快適に保持し、また、意図しない開き及び液体の分配を防止するためにユーザの手のひらに対して下面６０を配置するのに十分な長さであることができる。例えば、ハンドル１２が長すぎると、ユーザは、自分の手のひらに対して下面６０に達しない可能性があり、またハンドル１２の側面（又は上面及び下面）により多くの圧力を加え得る。ハンドル１２（すなわち、トトル）に加えられる圧力は、端部キャップ２２を強制的に開いて、ハンドル１２（すなわち、トトル）に含有される液体を意図せずに排出する可能性がある。
【００１７】
剃毛かみそりシステム１０は、ハンドル１２の下面６０から指パッド３４の前縁４０までの水平距離として測定される第２の距離「Ｄ２」を有することができる。距離「Ｄ２」は、ユーザが自分の手を、別の人を剃毛するための適切な位置に配置するのを助けることもできる。例えば、「Ｄ２」が大きすぎると、ハンドル１２は、ユーザの指（指パッド３４内に静止している）とユーザの手のひら（下面６０にもたれている）との間に快適に適合しない。したがって、前縁４０はユーザの指に対する基準として機能することができ、第２の端部１６（すなわち、下面６０）はユーザの手（例えば、手のひら）に対する基準として機能することができ、直感的な保持位置をもたらす。特定の実施形態では、距離「Ｄ２」は、約５０ｍｍ〜約９０ｍｍ、より好ましくは約６０ｍｍ〜約８０ｍｍであることができる。
【００１８】
剃毛かみそりシステム１０は、指パッド３４の前縁４０から刃３０の刃先３２までの水平距離として測定される第３の距離「Ｄ３」を有することができる。特定の実施形態では、距離「Ｄ３」は、約３ｍｍ〜約２０ｍｍ、より好ましくは約５ｍｍ〜約１５ｍｍであることができる。距離「Ｄ３」は、剃毛される表面にできるだけ近くユーザの指を配置することを可能にすることができ、これは、別の人を剃毛するときに剃毛かみそりシステム１０の制御を改善するのに重要であり得る。刃先３２に対する指パッド３４の前縁４０の配置は、ユーザに、剃毛される表面の視線の改善を提供することができる。例えば、前縁４０で終端する指パッド３４の前面６４は、刃先３２の方に向いていてもよい。したがって、ユーザは視線に対してより少ない障害を有し、ユーザは、剃毛ストロークに垂直な前面の表面に対して適切な圧力を加えることができるので、適切な圧力が皮膚に加えられる。ハンドル１２は、剃毛かみそりカートリッジ２４及び／又は刃３０を通過する中心長手方向軸６６を有してもよい。剃毛かみそりカートリッジ２４が静止位置にあるとき、中心長手方向軸６６は、剃毛平面Ｐ１を横切ることができる。特定の実施形態では、前縁４０は、ハンドル１２の中心長手方向軸６６から約０ｍｍ〜約２５ｍｍの垂直距離「Ｄ４」オフセットされていてもよい。前縁４０はまた、ブレード３０の刃先３２から約７ｍｍ〜約３２ｍｍの全距離に配置されて、剃毛かみそりカートリッジの枢動を妨げることなくユーザの指が刃先に対してできるだけ近くに置かれることを可能にする。特定の実施形態では、上面３６に配置された指パッド３４、指パッド３４の真下の下面６８に配置された剛性タブ７０を用いてカプラ２０をトトル１８に固定することができ、ハンドル１２の剛性を向上させる。剛性タブ７０は、指パッド３４よりも低い輪郭を有してもよく、これにより、顎及び顎線の下の上首などの別の人の顔のエリアへのアクセスが改善され得る。剛性タブ７０は、それが間違った面を上にしていることを示す表示部を有することができる（すなわち、指は反対側の指パッド３４上に配置されるべきである）。
【００１９】
特定の実施形態では、端部キャップ２２は、肩部７２を提供するために、トトル１８の最大断面積よりも大きな断面積を有することができる。肩部７２は、ユーザが１本以上の指を快適に配置してハンドル１２を保持又は把持することを可能にし得る。指パッド３４は、指パッド３４の前縁６４よりも中心長手方向軸６６の近くに配置された後縁部７４を有することができる。指パッドの後縁部７４は、下面６０から約２０ｍｍ〜約８０ｍｍの水平距離「ｄ５」に配置することができる。特定の実施形態では、トトル１８の内容積は、単一の剃毛のみに対して十分であり得る。例えば、トトル１８の容積は、約５ｍＬ〜約５０ｍＬであり得る。トトル１８の容積は、消費者が剃毛かみそりシステム１０を適切に保持することを可能にすることができる。特に空になっているときは、トトルは可撓性構造である。したがって、トトルタイプのハンドルは、ユーザの手の中で柔らかくなることがあり、これは、制御を失ったため、別の人を剃毛するときに危険であり得る。トトル１８のサイズ、及びカプラ２０は、剃毛かみそりシステムをユーザの手の中でカプラ２０と端部キャップ２２との間で適切に支持して、トトル１８の屈曲を制限することを可能にすることができる。
【００２０】
トトルは、単に流体を分配することを意図しており、通常、任意の特定の構成で保持し、別の物体に力を加え、又は任意のかなりの時間保持するようには設計されていない。典型的には、それらの唯一の機能は流体を分配することである。したがって、ハンドルとしてトトルを利用することは、消費者が自分の手、親指、及び指を配置するのに十分な把持を提供しない場合がある。トトル１８は、トトル１８の側面７８（すなわち、上面３６に対して横方向）上に、５０μｍを超える厚さを有する少なくとも１つの把持部材７６を有することができる。例えば、把持部材７６は、約２００μｍ〜約２．０ｍｍの厚さを有することができる。把持部材７６は、端部キャップ２２とカプラ２０との間に配置することができる。剃毛かみそりシステム１０の一方の側だけが示されているが、反対側も同じ特徴を有し得ることが理解される。把持部材７６は、把持の改善を提供するために、少なくとも３００のＲａ値を有するテクスチャ加工面を有してもよい。把持部材７６は、把持部材７６に隣接するトトル１８の表面（例えば、側面７８）のＲａ値より大きなＲａ値を有するテクスチャ加工面を有してもよい。把持部材は、トトル１８の把持を改善するために、端部キャップ２２及び／又はトトル１８とは異なる材料を含んでもよい。特定の実施形態では、トトル１８は複数の把持部材７６を有してもよい。例えば、図３Ａは、トトル１８の側面７８上で離間されている４つの把持部材７６を示す。把持部材７６は、端部キャップ２２とカプラ３４との間の距離「Ｄ６」の約５０％〜約１００％のスパン「Ｄ７」を有することができる。把持部材７６は、０．１０ｍｍ〜１０ｍｍの幅及び０．１０ｍｍ〜１０ｍｍの長さを有するストリップを含むことができる。把持部材７６の配置（positioning and placement）は、ユーザを適切な保持位置に案内するのを助け、したがってより直感的な保持位置を作り出すことができる。
【００２１】
図３Ｂ及び図３Ｃは、図３Ａの把持部材７６の代替的な実施形態を示す。例えば、図３Ｂは、トトル８２に適用される円形の隆起部である複数の把持部材８４を備えたトトル８２を有する剃毛かみそりシステム８０を示す。図３Ｃは、トトル８８の円周の周りに延びる環状把持部材９０を備えたトトル８８を有する剃毛かみそりシステム８６を示す。環状把持部材９２は、端部キャップ９４に適用されてもよい。剃毛かみそりシステム８０及び８６は、図１に示される剃毛かみそりシステム１０と実質的に同じであってもよい。図３Ｂ及び図３Ｃは、把持部材を適用するための他の様々な実行を示す。剃毛かみそりシステム１０、８０及び８６を把持する消費者の能力を高めるための様々な手段があり得ることが理解される。例えば、把持を増加させる手段は、テクスチャ加工外面を有するラベルを貼付すること、接着剤付きエラストマー、打ち抜き機構を適用すること、又は印刷及び他の堆積手段を利用して把持部材を貼付すること、を含むことができる。
【００２２】
図４を参照すると、図１の剃毛かみそりシステム１０を用いて別の人の顔を剃毛するユーザの側面図が示されている。図４に示すように、トトル１８のサイズ、ハンドル１２の下面６０に対するカプラ２０上の指パッド３４の位置は、ユーザが別の人の顔を剃毛しているとき、直感的な手と指の向きを容易にする。例えば、親指と中指はトトル１８の両側に配置され、中指は指パッド３４上に配置され、ハンドル１２の下面６０は手のひらにしっかりと押し付けられて、したがって、剃毛かみそりシステム１０の固定された把持を提供する。下面６０は、ハンドル１２がユーザの手に食い込まないように、十分な断面積を有してもよい。例えば、下面は、約１４０ｍｍ２〜約１２５０ｍｍ２、より好ましくは約２５０ｍｍ２〜約５００ｍｍ２の断面積を有することができる。剃毛かみそりシステム１０によって容易になる手の位置は、ユーザが、ハンドル１２の中心長手方向軸６６に実質的に垂直になるように、剃毛される表面に近づく（例えば、剃毛される表面が平面Ｐ１にもたれる）ことを可能にする。理論に束縛されることなく、剃毛面と剃毛かみそりの中心長手方向軸との交点は、別の人を剃毛する（すなわち、第三者剃毛）ためには、より垂直に近くなるべきであると考えられる。
【００２３】
本明細書に開示される寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【００２４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００２５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020516414.tif 000003
【図２Ａ】
2020516414.tif 000004
【図２Ｂ】
2020516414.tif 000005
【図３Ａ】
2020516414.tif 000006
【図３Ｂ】
2020516414.tif 000007
【図３Ｃ】
2020516414.tif 000008
【図４】
2020516414.tif 000009
【国際調査報告】
2020516414.tif 000010
2020516414.tif 000011
2020516414.tif 000012